(57)【特許請求の範囲】
【請求項１】
外周側部から水平方向に張り出した床部と、該床部の先端から上方に立上る立上部とを有する構造物本体に、前記立上部を基礎として組足場を組み立てるために使用する足場支持治具であって、
前記足場支持治具は、前記立上部に係着する係着部と、前記組足場を支持する支持部を有し、
前記係着部は、前記立上部に載置される載置部と、該載置部に、前記立上部をその両側から挟む形で、互いに接近、離反自在に設けられた第一挟接体と第二挟接体とを有し、
前記第一挟接体と第二挟接体との間に、それら挟接体間の位置を調整し、保持する位置調整保持手段を設け、
前記支持部は、前記第一挟接体側に、前記第二挟接体とは反対側に突出した形で設けられた支持部材を有し、
前記支持部及び前記係着部は、前記組足場の支持脚を着脱自在に接合する支持脚接合部材を着脱固定自在とするように構成された、
ことを特徴とする、足場支持治具。
【請求項２】
前記支持脚接合部材はスライダに固定され、
該スライダは、前記支持部及び前記係着部に摺動自在に嵌合されるように構成され、
前記支持脚接合部材は、前記スライダを介して前記支持部又は前記係着部に固定される、
ことを特徴とする請求項１に記載の足場支持治具。
【請求項３】
前記係着部の前記載置部が、前記支持脚接合部材を着脱固定自在とするように構成された、
ことを特徴とする請求項１又は２に記載の足場支持治具。
【請求項４】
前記支持脚接合部材は、支持脚の接合部にねじが形成されている、
ことを特徴とする、請求項１乃至３のいずれか1項に記載の足場支持治具。
【請求項５】
前記位置調整保持手段は、前記第一挟接体と第二挟接体との間に、それら挟接体の位置を調整自在に設けられたねじ手段を有する、
ことを特徴とする、請求項１乃至３のいずれか1項に記載の足場支持治具。
【請求項６】
前記位置調整保持手段は、前記第一挟接体と第二挟接体との間に、それら挟接体の位置を調整自在に保持するクランプ部材を有する、
ことを特徴とする、請求項１乃至３のいずれか1項に記載の足場支持治具。
【請求項７】
前記支持部と前記係着部は、結合部を介して着脱自在に構成される、
ことを特徴とする、請求項１乃至３のいずれか1項に記載の足場支持治具。
【発明の詳細な説明】
【０００１】
【発明の属する技術分野】
本発明は、外周側部から水平方向に張り出した床部と、該床部の先端から立上がる立上部とを有する構造物本体に、前記立上部を基礎として組足場を設置する際に用いる足場支持治具に関する。
【０００２】
【従来の技術】
例えば、バルコニを有するマンション等の構造物本体に、バルコニ等を利用して公知のビティ足場や単管足場等の組足場を、前記構造物本体の外側に沿って複数階層ごとに設置するための足場支持治具が提案されている（例えば、特許文献１参照）。
【０００３】
この足場支持治具では、バルコニの立上部の上端面に載置される載置部から下方に向けて突出するように固定された第一挟接体と、前記載置部に移動可能に嵌合する位置調整保持手段に前記第一挟接体と対向するように固定された第二挟接体を有し、前記第一挟接体の下端に、組足場を支持する支持部材を固定し、該支持部材の先端部に複数の支持脚接合部材を一定の間隔で固定した構成になっている。
【０００４】
【特許文献１】
特開平０８−２０３３５０号公報
【０００５】
【発明が解決しようとする課題】
例えば、屋上階の外周に、屋上の床面を形成するスラブの上方に前記支持部材を突出させて、防水工事用の足場を構築する場合、位置調整保持手段側に支持脚を立設させ、手すり等を設けることが要求される。しかし、前記足場支持治具では、位置調整保持手段側に支持脚を配置することができない。このため、屋上階の防水工事等では前記足場支持治具を用いることなく単管足場を構築するなど、足場支持治具の利用範囲が限定されていた。
【０００６】
上記の事情に鑑み、本発明は、支持脚接合部材の取付け位置を移動可能とし、より広い範囲の作業目的に適合させて利用できる足場支持治具を提供することを目的とする。
【０００７】
【課題を解決するための手段】
上記の目的を達成するため、請求項１に係る発明は、外周側部から水平方向に張り出した床部と、該床部の先端から上方に立上る立上部とを有する構造物本体に、前記立上部を基礎として組足場を組み立てるために使用する足場支持治具であって、
前記足場支持治具（１５、３０、４０、５０）は、前記立上部（３ｅ、５ｂ）に係着する係着部（１５ｂ、３０ｂ、４０ｂ、５０ｂ）と、前記組足場（７）を支持する支持部（１５ａ、３０ａ、４０ａ、５０ａ）を有し、
前記係着部（１５ｂ、３０ｂ、４０ｂ、５０ｂ）は、前記立上部（３ｅ、５ｂ）に載置される載置部（１６ｆ、３５ａ、４２ａ、５６ａ）と、該載置部（１６ｆ、３５ａ、４２ａ、５６ａ）に、前記立上部（３ｅ、５ｂ）をその両側から挟む形で、互いに接近、離反自在に設けられた第一挟接体（２１、５７）と第二挟接体（２３、６２）とを有し、
前記第一挟接体（２１、５７）と第二挟接体（２３、６２）との間に、それら挟接体（２１、２３，５７、６２）間の位置を調整し、保持する位置調整保持手段（２２、３７、４５、５５）を設け、
前記支持部（１５ａ、３０ａ、４０ａ、５０ａ）は、前記第一挟接体（２１、５７）側に、前記第二挟接体（２３、６２）とは反対側に突出した形で設けられた支持部材（１６、３１、４１、５１）を有し、
前記支持部（１５ａ、３０ａ、４０ａ、５０ａ）及び前記係着部（１５ｂ、３０ｂ、４０ｂ、５０ｂ）は、前記組足場（７）の支持脚（９）を着脱自在に接合する支持脚接合部材（２０）を着脱固定自在とするように構成されたことを特徴とする。
【０００８】
また、請求項２に係る発明は、請求項１記載の発明において、前記支持脚接合部材（２０）はスライダ（１７、３２）に固定され、
該スライダ（１７、３２）は、前記支持部（１５ａ、３０ａ、４０ａ、５０ａ）及び前記係着部（１５ｂ、３０ｂ、４０ｂ、５０ｂ）に摺動自在に嵌合されるように構成され、
前記支持脚接合部材（２０）は、前記スライダ（１７、３２）を介して前記支持部（１５ａ、３０ａ、４０ａ、５０ａ）又は前記係着部（１５ｂ、３０ｂ、４０ｂ、５０ｂ）に固定される、ことを特徴とする。
【０００９】
さらに、請求項３に係る発明は、請求項１又は２に記載の発明において、前記係着部（１５ｂ、３０ｂ、４０ｂ、５０ｂ）の前記載置部（１６ｆ）が、前記支持脚接合部材（２０）を着脱固定自在とするように構成された、ことを特徴とする。
【００１０】
また、請求項４に係る発明は、請求項１乃至３のいずれか1項に記載の発明において、前記支持脚接合部材（２０）は、支持脚（９）の接合部にねじ（２０ａ）が形成されている。
【００１１】
また、請求項５に係る発明は、請求項１乃至３のいずれか1項に記載の発明において、前記位置調整保持手段（３７）は、前記第一挟接体（２１）と第二挟接体（２３）との間に、それら挟接体（２１、２３）の位置を調整自在に設けられたねじ手段（３６、３９）を有する。
【００１２】
また、請求項６に係る発明は、請求項１乃至３のいずれか1項に記載の発明において、前記位置調整保持手段（４５）は、前記第一挟接体（２１）と第二挟接体（２３）との間に、それら挟接体（２１、２３）の位置を調整自在に保持するクランプ部材（４３）を有する。
【００１３】
また、請求項７記載の発明は、請求項１乃至３のいずれか1項に記載の発明において、前記支持部（１５ａ、３０ａ、４０ａ、５０ａ）と前記係着部（１５ｂ、３０ｂ、４０ｂ、５０ｂ）は、結合部（５０ｃ）を介して着脱自在に構成されている。
【００１４】
なお、括弧内の符号等は、図面において対応する要素を示す便宜的なものであり、従って、本記述は図面上の記載に限定拘束されるものではない。
【００１５】
【発明の効果】
以上述べたように、請求項１〜３に記載の発明によると、前記支持部及び前記係着部が前記支持脚接合部材を着脱固定自在とするように構成されているので、支持脚接合部材を必要に応じて支持部もしくは係着部に取付けることができ、多様な作業に対応することができる。例えば、屋上の防水工事等においては、図４又は図５に示すように、作業態様に応じて支持部を屋上の内周又は外周側に装着し、任意の位置に支持脚接合部材を設置することができる。従って、より広い範囲の作業目的に対応させることができ、工事の作業性を向上させることができる。
【００１６】
また、請求項４記載の発明によると、支持脚を支持脚接合部材に螺合させて取付けるので、請求項１記載の発明の効果に加え、支持脚の接合が安定し、組足場の安定性を向上させることができる。
【００１７】
また、請求項５記載の発明によると、第１の挟接体と第２の挟接体とをねじ手段により接続しているので、第１挟接体と第２挟接体との間隔を任意に設定することができ、請求項１記載の発明の効果に加え、バルコニの立上部の厚さの変化に拘わらず、常に最適な状態で取付けることができる。
【００１８】
また、請求項６記載の発明によると、クランプ部材により挟接体間を固定するようにしたので、請求項１記載の発明の効果に加え、足場支持治具の操作を容易にすることができる。
【００１９】
また、請求項７記載の発明によると、足場支持治具を、立上部に固定する係着部と、組足場を支持する支持部とを接合部を介して着脱自在となるように構成したので、請求項１記載の発明の効果に加え、一体の足場支持治具に比べて取り扱う重量を軽減することができ、足場支持治具の取り扱いを容易にすることができる。また、係着部と支持部の大型化、高強度化を図り、より重荷重を支えることを可能にした足場支持治具を得ることができ、一階層に取付けた足場支持治具からより高い階層まで組足場を伸ばすことができる。
【００２０】
【発明の実施の形態】
以下、本発明の実施の形態を図面に基づいて説明する。図１は、本発明による足場支持治具を用いた組足場の設置状態を示す側面図である。
【００２１】
同図において、地盤１に鉄筋コンクリート等で構築された基礎構築物２の上に、鉄筋コンクリートで構造物本体３が構築されている。この構造物本体３は、梁、柱構造をなす複数の柱３ａと梁３ｂを有し、これら柱３ａと梁３ｂには、複数のスラブ３ｃが一体に層状に構築され、各階の床や天井を形成している。
【００２２】
前記構造物本体３の外周部３ｄ（図１の紙面左側）には、鉄筋コンクリートで複数のバルコニ５が構造物本体３と一体に形成されている。このバルコニ５は、前記各梁３ｂから水平方向（矢印Ａ方向）に突出し、上下層状に形成された床部５ａと、この床部５ａの先端側（矢印Ａ方向の端部）に、床部５ａと一体に形成され、上方に向けて立上る壁状の立上部５ｂが設けられている。なお、この立上部５ｂの高さは、バルコニ５の床部５ａに立つ人の落下を防止するのに十分な高さを持っている。
【００２３】
また、前記構造物本体３の屋上階には、屋上の周囲を囲う立上部３ｅと、最上階のバルコニ５の上方に突出する庇５ｆが形成されている。
【００２４】
図１に示す構造物本体３の例では、バルコニ５が設けられているのは、２階以上の階層になっており、１階の位置にはバルコニ５が設けられていない。この構造物本体３の場合、１階（或いは１階及び地階）部分は、駐車場空間６として形成されており、構造物本体３の壁には外部と駐車場空間６を連通する車出入口６ａが形成されている。なお、構造物本体３の１階部分も住戸とする場合には、１階部分にもバルコニ５を配置してもよい。
【００２５】
２階部分のバルコニ５の立上部５ｂには、本発明による足場支持治具１５（又は３０、又は４０、又は５０）が設置されている。この足場支持治具１５（又は３０、又は４０、又は５０）上には、２階から屋上階まで５階層分の組足場７が構築され、その支持脚９は、適宜位置で壁つなぎ１０により構造物本体３（バルコニ５の立上部５ｂ、庇３ｆ）に繋がれている。また、足場板１１は、ブラケット１２を介して支持脚９の適宜位置に支持されているほか、足場支持治具１５（又は３０、又は４０、又は５０）の上にも配置されている。なお、組足場７の外側には、メッシュシート１３が配置されている。
【００２６】
図２乃至図５は、本発明による足場支持治具の第１の実施の形態を示すもので、図２は、本発明による足場支持治具の側面図、図３は、図２の平面図、図４は、図１の足場支持治具を屋上階から外側に向けて取り付けた状態を示す側面図、図５は、図１の足場支持治具を屋上階から内側に向けて取り付けた状態を示す側面図である。
【００２７】
同図において、足場支持治具１５は、組足場７を支持する支持部１５ａと、バルコニ５の立上部５ｂや、構造物本体３の屋上階の立上部３ｅに取付けるための係着部１５ｂとを有している。
【００２８】
前記支持部１５ａを構成する支持部材１６は、断面が矩形の筒状部材で形成されている。この支持部材１６の矢印Ａ方向の端部には、その側面１６ｂを紙面の前後方向に貫通する複数の貫通穴１６ｄが所定の間隔で形成され、矢印Ｂ方向の端部には、その側面を紙面の前後方向に貫通する複数の貫通穴１６ｅが所定の間隔で形成されている。
【００２９】
前記支持部材１６に摺動可能に嵌合するスライダ１７には、前記貫通穴１６ｄと連通する貫通穴（図示せず）が形成されている。そして、該スライダ１７は、その貫通穴と前記支持部材１６の貫通穴１６ｄを貫通するボルト１９ａと、該ボルト１９ａに螺合するナット１９ｂで構成される固定手段１９によって所要の位置に固定される。
【００３０】
前記スライダ１７には、前記支持部材１６の上面１６ａから上方に向けて突出するように、支持脚接合部材２０が固定されている。この支持脚接合部材２０の上端部には、ねじ２０ａが形成されている。
【００３１】
前記支持部材１６の下面１６ｃの矢印Ｂ方向の端部には、断面が矩形の筒状部材で形成された第一挟接体２１が固定されている。そして、支持部材１６の第一挟接体２１から矢印Ｂ方向に突出する部分は、バルコニ（図１参照）５の立上部５ｂの上端面５ｃに載置される載置部１６ｆとなる。前記支持部材１６の下面１６ｃと第一挟接体２１の矢印Ａ方向の側面との間には、断面が矩形の筒状部材で形成された補強部材２１ｂが接合されている。なお、第一挟接体２１の矢印Ｂ方向の側面には、スペーサ２１ａが固定されている。
【００３２】
前記第一挟接体２１は、その断面寸法が、前記支持部材１６の断面寸法と同一かそれより小さい部材で形成されている。また、前記補強部材２１ｂは、その断面寸法が、前記第一挟接体２１の断面寸法と同一かそれより小さい部材で形成されている。なお、補強部材２１ｂの接合位置は、支持部材１６の上面１６ａから上方へ突出せず、かつ第一挟接体２１の矢印Ｂ方向の側面から矢印Ｂ方向へ突出しない限り、支持部材１６の側面１６ｂと第一挟接体２１の紙面前後方向の側面であってもよい。
【００３３】
調整部材２２は、前記支持部材１６の内部に摺動自在に装着し得る大きさの断面が矩形の筒状部材で形成されている。この調整部材２２の矢印Ａ方向の端部には、その側面２２ｂを紙面の前後方向に貫通し前記支持部材１６の貫通穴１６ｅと連通する複数の貫通穴２２ｄが所定の間隔で形成され、中央部から矢印Ｂ方向の端部に向けて、その側面２２ｂを紙面の前後方向に貫通する複数の貫通穴２２ｅが所定の間隔で形成されている。
【００３４】
なお、前記調整部材２２の矢印Ａ方向の一端には、内周に補強部材２２ｆが固定され、外周にスペーサ２２ｇが固定されている。また、貫通穴２２ｅが形成された部分には、その内周及び外周に補強部材２２ｈが配置され、調整部材２２の強度の低下を補っている。
【００３５】
前記調整部材２２の矢印Ｂ方向の端部には、該調整部材２２の断面寸法より幅の広い断面が溝形の部材で形成された第二挟接体２３が固定されている。なお、調整部材２２と第二挟接体２３の接合部は、補強部材２３ａで補強されている。
【００３６】
前記第二挟接体２３の第一挟接体２１との対向面には、複数（図２では２個）の貫通穴（図示せず）が形成されている。これら貫通穴と連通するように第二挟接体２３に固定されたナット２５ａに螺合するボルト２５ｂの矢印Ａ方向の端部には、パッド２５ｃが揺動及び回転自在に支持されている。
【００３７】
なお、前記調整部材２２は、前記支持部材１６の貫通穴１６ｅと、該貫通穴１６ｅと連通する貫通穴２２ｄを貫通するボルト２６ａと、該ボルト２６ａに螺合するナット２６ｂで構成される結合手段２６により結合される。そして、前記第一挟接体２１、支持部材１６、調整部材２２及び第二挟接体２３で係着部１５ｂを構成している。
【００３８】
このような構成で、予め、支持脚接合部材２０を支持部材１６の所要の位置に配置して、固定手段１９のボルト１９ａ、ナット１９ｂを締めつけて固定する。
【００３９】
構造物本体３（図１参照）が二階層以上構築されている状態で、構築されているバルコニ５の立上部５ｂの上端面５ｃに、支持部材１６の載置部１６ｆが接触し、立上部５ｂの矢印Ａ方向の側面に第一挟接体２１のスペーサ２１ａが接触するように、足場支持治具１５を載置する。
【００４０】
支持部材１６と調整部材２２の結合部から結合手段２６のボルト２６ａを抜き取り、調整部材２２を矢印Ａ方向に、第二挟接体２３が立上部５ｂの内側面に対し所要の位置（例えば、二点鎖線で示す位置）まで移動させる。そして、互いに連通する支持部材１６の貫通穴１６ｅと調整部材２２の貫通穴２２ｄの軸心を整合させ、貫通穴１６ｅ、２２ｄにボルト２６ａを挿入し、ナット２６ｂを締めて支持部材１６と調整部材２２を結合する。
【００４１】
この状態で、第二挟接体２３に支持されたボルト２５ｂを回して、パッド２５ｃを立上部５ｂの内側面に押付ける。このとき、パッド２５ｃは、ボルト２５ｂに対して揺動及び回転自在であるので、立上部５ｂの内側面に沿って接触し、立上部５ｂの内側面を傷つけることはない。
【００４２】
このようにして、複数の足場支持治具１５をバルコニ５（図１参照）の立上部５ｂに固定した後、複数の支持部材１６に亘って足場板１１を載置する。なお、足場板１１は、図示しない係止部材により支持部材１６に係止される。この際、支持部材１６の上面１６ａには、図２に示すように、補強部材２１ｂ等が突出していないので、支持部材１６の上面１６ａには、足場板１１を載置するのに十分な足場板載置領域ＡＲＡが形成され、足場板１１の設置を円滑に行なうことができる。そして、この足場板１１上に登って支持脚９を支持脚接合部材２０に螺合させ接合する。
【００４３】
以下、通常の組足場７の構築作業と同様の作業により、足場支持治具１５上に組足場７（図１参照）を構築することができる。
【００４４】
図４に示すように、構造物本体３の屋上階がその外周部３ｄから矢印Ｂ方向に突出し、その外周部に立上部３ｅが形成され、さらにその外側（矢印Ｂ方向）に組足場７を構築する場合がある。
【００４５】
このような場合にも、前記図２に示すバルコニ５に取付けた場合と同様に、支持部材１６が構造物本体３の外側（矢印Ｂ方向）に突出するように、屋上階のスラブ３ｃに形成された立上部３ｅに固定し、支持脚接合部材２０に支持脚９を接合し、手すり９ａを取付けて組足場７を構築する。
【００４６】
また、図５に示すように、構造物本体３の屋上階の防水工事等で、屋上階の立上部３ｅの内側（矢印Ａ方向）に足場が必要な場合がある。
【００４７】
このような場合には、支持部材１６から外した支持脚接合部材２０を、調整部材２２の所要の位置に固定した状態で、支持部材１６が屋上階のスラブ５ｃの上方（矢印Ａ方向）に突出するように立上部３ｅに載置し固定する。そして、支持部材１６上に足場板１１を載置するとともに、調整部材２２に固定した支持脚接合部材２０に支持脚９を接合し、手すり９ａを取付けて組足場７を構築する。
【００４８】
前記のように、支持脚接合部材２０を支持部材１６（支持部１５ａ）側だけでなく、調整部材２２（係着部１５ｂ）側に取付けることができるので、従来と異なる態様で使用することができ、足場支持治具１５の利用範囲を広げることができる。
【００４９】
図６及び図７は、本発明による足場支持治具の第２の実施の形態を示すもので、図６は本発明による足場支持治具の側面図、図７は、図６の平面図である。
【００５０】
同図において、図２、図３と同じものは同じ符号をつけて示し、説明を省略する。足場支持治具３０は、組足場７（図１参照）を支持する支持部３０ａと、足場支持治具３０をバルコニ５（図１参照）の立上部５ｂに取付けるための係着部３０ｂとを有している。
【００５１】
前記支持部３０ａを構成する支持部材３１は、断面が矩形の筒状部材で形成されている。この支持部材３１の矢印Ａ方向の一端部には、支持部材３１に摺動自在に外嵌するスライダ３２が配置され、このスライダ３２の上面３２ａに、支持脚接合部材２０が上方に向けて突出するように固定されている。
【００５２】
なお、前記スライダ３２は、スライダ３２の下面３２ｂに固定されたナット３２ｃに螺合するボルト３２ｄで支持部材３１の任意の位置に固定される。即ち、ボルト３２ｄは、固定手段を構成する。また、支持部材３１の矢印Ａ方向の端部に形成された貫通穴（図示せず）を貫通するボルト３３ａと、このボルト３３ａに螺合するナット３３ｂからなるストッパ３３で支持部材３１から脱落するのを防止されている。
【００５３】
前記支持部材３１の下面３１ｃの矢印Ｂ方向の端部には、断面が矩形の筒状部材で形成された第一挟接体２１が固定されている。そして、前記支持部材３１の下面３１ｃと第１挟接体２１の矢印Ａ方向の側面との間には、断面が矩形の筒状部材で形成された補強部材２１ｂが固定されている。なお、補強部材２１ｂは、支持部材３１の上面３１ａから上方に突出しない限り、支持部材３１の側面３１ｂに固定するようにしてもよい。
【００５４】
ブラケット３５は、バルコニ５（図１参照）の立上部５ｂの上端面５ｃに載置される載置部３５ａと、この載置部３５ａの紙面前後方向の両端から、前記支持部材３１の両側面３１ｂに接触する幅で上方に向けて形成された立上部３５ｂと、この立上部３５ｂの矢印Ａ方向の端部から下方に向けて前記第一挟接体２１の側面に接触するように形成された固定部３５ｃとを有している。そして、前記ブラケット３５は、前記載置部３５ａが前記支持部材３１の下面３１ｃと同じ高さになるようにボルト３５ｄと、このボルト３５ｄに螺合するナット３５ｅで前記第一挟接体２１に着脱自在に固定されている。
【００５５】
前記ブラケット３５の載置部３５ａの中央部には、所要の高さになるようにスペーサ３６ａを介してその軸心が矢印Ａ−Ｂ方向と平行になるようにナット３６が固定されている。
【００５６】
前記第一挟接体２１と第二挟接体２３とを相対移動自在に接合し、前記バルコニ５（図１参照）の立上部５ｂの厚さに応じて、前記第一挟接体２１と第二挟接体２３の間隔を調整するための調整部材３７は、前記支持部材３１の内部に摺動自在に装着し得る大きさの断面が矩形の筒状部材で形成され、その底面３７ａには、矢印Ａ方向の端部から所要の位置まで前記スペーサ３６ａと摺動自在に嵌合する溝３７ｂが形成されている。
【００５７】
前記調整部材３７の矢印Ｂ方向の端部には、調整部材３７の断面寸法と同じ幅の、断面が溝形の部材で形成された第二挟接体２３が固定されている。なお、調整部材３７と第二挟接体２３の接合部は、補強部材２３ｂで補強されている。そして、ブラケット３５（の載置部３５ａ）、第一挟接体２１、調整部材３７及び第二挟接体２３で、係着部３０ｂが構成される。
【００５８】
前記第二挟接体２３に形成された貫通穴（図示せず）を移動自在に貫通するねじ軸３９の矢印Ａ方向の一端は、前記ナット３６に螺合している。また、このねじ軸３９の頭部３９ａは、６角形に形成され、スパナ等でねじ軸３９を回転させられるようになっている。また、ねじ軸３９の首部には、前記第二挟接体２３の貫通穴の周囲に当接する座３９ｂが装着され、第二挟接体２３の矢印Ｂ方向への移動を規制している。
【００５９】
このような構成で、予め、スライダ３２を所要の位置へ移動させボルト３２ｄを締めて、支持脚接合部材２０を支持部材３１に固定する。
【００６０】
構造物本体３（図１参照）が二階層以上構築されている状態で、構築されているバルコニ５の立上部５ｂの上端面５ｃに、ブラケット３５の載置部３５ａが接触するように、即ち、第一挟接体２１が立上部５ｂの外側面（矢印Ａ方向の側面）と対向し、第二挟接体２３が立上部５ｂの内側面（矢印Ｂ方向の側面）と対向するように足場支持治具３０を立上部５ｂの上端面５ｃに載置する。
【００６１】
そして、第一挟接体２１を立上部５ｂの外側面に接触させ、ねじ軸３９を回転させ、第二挟接体２３を立上部５ｂの内側面に対し所要の位置（例えば、二点鎖線で示す位置）まで移動させる。この状態で、ボルト２５ｂを回し、パッド２５ｃを所要の力で立上部５ｂの内側面に押しつける。このとき、パッド２５ｃは、ボルト２５ａに対し揺動及び回転自在であるので、立上部５ｂの内側面に倣って接触し内側面を傷つけることはない。
【００６２】
このとき、前記したように、調整部材３７は、前記支持部材３１の内部に摺動自在に装着し得る大きさの断面が矩形の筒状部材で形成されているので、支持部材３１の上面３１ａと係着部３０ｂを構成する調整部材３７の上面３７ｃとは、ほぼ同じ（支持部材３１の上面３１ａが調整部材３７の上面３７ｃより若干高くなる）高さになっている。
【００６３】
このようにして、複数の足場支持治具３０をバルコニ５（図１参照）の立上部５ｂに固定した後、複数の支持部材３１に亘って足場板１１を載置する。なお、足場板１１は、図示しない係止部材により支持部材３１に係止される。この際、支持部材３１の上面３１ａには、図６に示すように、補強部材２１ｂなどが突出していないので、支持部材３１の上面３１ａには、足場板１１を載置するのに十分な足場板載置領域ＡＲＡが形成され、足場板１１の設置を円滑に行なうことができる。そして、この足場板１１の上に登って支持脚９を支持脚接合部材２０に螺合させ接合する。
【００６４】
以下、通常の組足場７の構築作業と同様の作業により、足場支持治具３０上に組足場７（図１参照）を構築することができる。
【００６５】
なお、上記の実施形態においては、前記ナット３６の破損等に備え、ナット３６の交換を容易にするため、ブラケット３５を第一挟接体２１にボルト３５ｄとナット３５ｅで固定したものについて説明したが、ナット３６の交換が必要ない場合には、ブラケット３５を第一挟接体２１や支持部材３１に溶接等で固定するようにしてもよい。また、ブラケット３５の固定部３５ｃをなくし、立上部３５ｂを支持部材３１に固定するようにしてもよい。
【００６６】
また、図６においては、前記ナット３６及びねじ軸３９の取付け位置を、調整部材３７の底面３７ａに近い位置に配置した場合について図示してあるが、ナット３６及びねじ軸３９を、前記調整部材３７もしくは支持部材３１の軸心に近い位置に配置してもよいし、調整部材３７と支持部材２３の上面もしくは側面に配置してもよい。なお、ナット３６とねじ軸３９を支持部材３１と調整部材３７の上面に配置する場合には、支持部材３１上に突出するナット３６やねじ軸３９を覆うためのカバー（図示せず）を設け、該カバーの上に足場板１１を載置するとよい。また、前記ねじ軸３９の頭部３９ａにハンドル（図示せず）を固定し、該ハンドルにより、ねじ軸３９を回すようにしてもよい。
【００６７】
また、図６、図７においは、前記支持部材３１を、立上部５ｂの外側面を含む鉛直平面から矢印Ａ方向に突出する部分として図示しているが、支持部材３１を前記ブラケット３５に相当する分だけ矢印Ｂ方向に延長して載置部３５ａとし、該載置部３５ａにナット３６を固定するようにしてもよい。このような構成とすれば、前記ブラケット３５は不要になる。この場合、支持部材３１が載置部３５ａを構成し、支持部材３１、第一挟接体２１、調整部材３７及び第二挟接体２３で、係着部３０ｂを構成することになる。
【００６８】
図８及び図９は、本発明の第３の実施の形態を示すもので、図８は、本発明による足場支持治具の側面図、図９は、図８の平面図である。
【００６９】
同図において、図２、図３、図６及び図７と同じものは同じ符号をつけて示し、説明を省略する。足場支持治具４０は、組足場７（図１参照）を支持する支持部４０ａと、足場支持治具４０をバルコニ５（図１参照）の立上部５ｂに取付ける係着部４０ｂとを有している。
【００７０】
前記支持部４０ａを構成する支持部材４１は、断面が矩形の筒状部材で形成され、その側面４１ｂを紙面の前後方向に貫通する複数の貫通穴（図示せず）が、支持部材４１の軸心方向である矢印Ａ、Ｂ方向に所定の間隔で形成され、固定手段１９を介して支持脚接合部材２０を着脱可能に支持している。
【００７１】
前記支持部材４１の下面４１ｃの矢印Ｂ方向の端部には、断面が矩形の筒状部材で形成された第一挟接体２１が固定されている。そして、前記支持部材４１の下面４１ｃと第１挟接体２１の側面との間には、断面が矩形の筒状部材で形成された補強部材２１ｂが固定されている。なお、補強部材２１ｂは、支持部材４１の上面４１ａから上方に突出しない限り、支持部材４１の側面４１ｂに固定するようにしてもよい。
【００７２】
ブラケット４２は、バルコニ５（図１参照）の立上部５ｂの上端面５ｃに載置される載置部４２ａと、この載置部４２ａの矢印Ａ方向の端部から第一挟接体２１の矢印Ｂ方向の側面に沿って形成された立下り部４２ｂと、紙面前後方向の両端から前記第一挟接体２１の外側面に接触する幅で矢印Ａ方向に突出する取付部４２ｃとを有している。そして、前記ブラケット４２は、載置部４２ａの上面が前記支持部材４１の内周面の下面と同じ高さになるように、ボルト４２ｄ及びナット４２ｅで前記第一挟接体２１に着脱自在に固定されている。
【００７３】
前記第一挟接体２１の下端には、前記ブラケット４２の立下り部４２ｂと同じ厚さで形成されたスペーサ２１ａが固定されている。このスペーサ２１ａにより、足場支持治具４０をバルコニ５（図１参照）の立上部５ｂに取付けたとき、バルコニ５の立上部５ｂの外側面と第一挟接体２１が平行になる。即ち、支持部材４１が水平に支持される。
【００７４】
前記ブラケット４２の載置部４２ａの上面には所定の間隔で一対の角クランプ４３が固定されている。これら角クランプ４３は、その内側面に所定の間隔で形成された複数の突起（図示せず）を備えている。
【００７５】
調整部材４５は、前記支持部材４１の内部に摺動自在に装着し得る大きさの断面が矩形の筒状部材で形成され、その側面４５ｂには、所定の間隔で前記突起が嵌合する複数の窪み（図示せず）が形成されている。そして、前記角クランプ４３を通して前記支持部材４１に装着されている。
【００７６】
前記調整部材４５の矢印Ｂ方向の端部には、調整部材４５の断面寸法より幅が広く、断面が溝形の部材で形成された第二挟接体２３が固定されている。なお、調整部材４５と第二挟接体２３の接合部を、補強部材（図示せず）で補強してもよい。なお、ブラケット４２（の載置部４２ａ）、第一挟接体２１、調整部材４５及び第二挟接体２３で、係着部４０ｂを構成している。
【００７７】
このような構成で、予め、スライダ１７を支持部材４１の所要の位置へ移動させ、貫通穴にボルト１９ａを挿入してナット１９ｂを締めて、支持脚接合部材２０を支持部材４１の所要の位置に固定する。
【００７８】
構築されているバルコニ５（図１参照）の立上部５ｂの上端面５ｃにブラケット４２の載置部４２ａが接触するように、すなわち、第一挟接体２１が立上部５ｂの外側面（矢印Ａ方向の側面）と対向し、第二挟接体２３が立上部５ｂの内側面（矢印Ｂ方向の側面）と対向するように足場支持治具４０を立上部５ｂの上端面５ｃに載置する。
【００７９】
そして、第一挟接体２１（ブラケット４２の立下り部４２ｂとスペーサ２１ａ）を立上部５ｂの外側面に接触させ、角クランプ４３を緩めて第二挟接体２３を矢印Ａ方向に移動させることにより、立上部５ｂの内側面に対し所要の位置（例えば、二点鎖線で示す位置）まで移動させる。この状態で、角クランプ４３を締めて調整部材４５を固定した後、ボルト２５ｂを回し、パッド２５ｃを所要の力で立上部５ｂに押しつけて、足場支持治具４０を立上部５ｂに取り付ける。
【００８０】
このようにして、複数の足場支持治具４０をバルコニ５（図１参照）の立上部５ｂに固定した後、複数の支持部材４１に亘って足場板１１を載置する。なお、足場板１１は、図示しない係止部材により支持部材４１に係止される。そして、この足場板１１の上に登って支持脚９を支持脚接合部材２０に螺合させ接合する。
【００８１】
以下、前記第１の実施形態と同様に、通常の組足場構築作業により、足場支持治具４０上に組足場７（図１参照）を構築することができる。
【００８２】
なお、前記第３の実施形態においては、角クランプ４３を２個用いた場合について説明したが、足場支持治具４０に要求される耐荷重性能に応じて、１個であってもよいし、３個以上配置してもよい。
【００８３】
また、図８、図９においは、前記支持部材４１を、第一挟接体２１のバルコニ５側の端面を含む鉛直平面から矢印Ａ方向に突出する部分として図示しているが、支持部材４１を前記ブラケット４２に相当する分だけ矢印Ｂ方向に延長して載置部とし、該載置部に角クランプ４３を固定するようにしてもよい。このような構成とすれば、前記ブラケット４２は不要になる。この場合、支持部材４１の一部が載置部を構成し、支持部材４１、第一挟接体２１、調整部材４５及び第二挟接体２３で、係着部４０ｂを構成する。
【００８４】
図１０乃至図１２は、本発明の第４の実施の形態を示すもので、図１０は、本発明による足場支持治具の側面図、図１１は、図１０の平面図、図１２は、接合部の拡大図である。
【００８５】
同図において、図２、図３及び図６乃至図９と同じものは同じ符号をつけて示し、説明を省略する。この実施形態における足場支持治具５０は、それぞれ別体として形成され、組足場７（図１参照）を支持する支持部５０ａと、足場支持治具５０をバルコニ５（図１参照）の立上部５ｂに取付ける係着部５０ｂとを有し、結合部５０ｃを介して着脱自在に結合される。
【００８６】
前記支持部５０ａは、支持脚接合部材２０を備えた支持部材５１を有している。この支持部材５１の矢印Ｂ方向の端部には、補強部材５２が固定され、前記支持部材５１と補強部材５２の間は、補強部材２１ｂで接続されている。この補強部材５２は、前記支持部材５１の断面の寸法と同じかそれより小さく、前記補強部材２１ｂの断面の寸法と同じかそれより大きい矩形の筒形部材で形成されている。
【００８７】
前記補強部材５２の矢印Ｂ（立上部５ｂ）方向の側面には、図１２に示すように、前記結合部５０ｃの一方を構成するように、補強部材５２に接続される根元部５３ａが細く、先端部５３ｂが広いＴ字状の突起５３が、その先端（矢印Ｂ方向の端面）が前記支持部材５１の矢印Ｂ方向の端面を含む鉛直平面に位置するように固定されている。
【００８８】
前記係着部５０ｂは、前記支持部材５１と同じ大きさの断面が矩形の筒形部材で形成された調整部材５５を有している。この調整部材５５には、その中央部から矢印Ｂ方向の端部かけて所定の間隔で複数の貫通穴５５ａが形成されている。
【００８９】
前記調整部材５５の矢印Ａ方向の端部には、Ｌ字状のブラケット５６を介して第一挟接体５７が固定されている。なお、ブラケット５６の調整部材５５との接合部は、前記立上部５ｂの上端面５ｃに載置される載置部５６ａを構成する。前記第一挟接体５７の矢印Ａ方向の側面には、前記結合部５０ｃの他方を構成し、図１２に示すように、矢印Ａ方向の側面に位置する開口部５９ａの幅が狭く、内部５９ｂの幅が広くなるように形成されたＴ字状の溝５９が形成されている。
【００９０】
前記調整部材５５には、前記貫通穴５５ａと連通する貫通穴（図示せず）が形成されたスライダ６０が摺動自在に嵌合ている。そして、スライダ６０は、その貫通穴及び調整部材５５の貫通穴５５ａを貫通するボルト６１ａと、このボルト６１ａに螺合するナット６１ｂで構成される固定手段６１により調整部材６１の所要の位置に固定される。
【００９１】
前記スライダ６０には、断面が溝形の部材で形成された第二挟接体６２が固定されている。この第二挟接体６２には、前記スライダ６０の貫通穴及び調整部材５５の貫通穴５５ａと連通する貫通穴（図示せず）が形成されている。そして、この第二挟接体６２は、その貫通穴、スライダ６０の貫通穴及び調整部材５５の貫通穴５５ａを貫通するボルト６３ａと、このボルト６３ａに螺合するナット６３ｂで構成される固定手段６３により調整部材５５に結合される。なお、ブラケット５６（の載置部５６ａ）、第一挟接体５７、調整部材５５及び第二挟接体６２で、係着部５０ｂが形成される。また、前記突起５３と溝５９で、前記結合部５０ｃが形成される。
【００９２】
このような構成で、予め、支持部５０ａのスライダ１７を支持部材５１の所要の位置へ移動させ、貫通穴にボルト１９ａを挿入してナット１９ｂを締めて、支持脚接合部材２０を支持部材５１の所要の位置に固定する。
【００９３】
まず、構築されているバルコニ５（図１参照）の立上部５ｂの上端面５ｃに、係着部５０ｃのブラケット５６の載置部５６ａが接触するように、即ち、第一挟接体５７が立上部５ｂの外側面（矢印Ａ方向の側面）と対向し、第二挟接体６２が立上部５ｂの内側面（矢印Ｂ方向の側面）と対向するように係着部５０ｂを立上部５ｂの上端面５ｃに載置する。
【００９４】
そして、第一挟接体５７（ブラケット５６の立下り部５６ｂとスペーサ２１ａ）を立上部５ｂの外側面に接触させ、ボルト６１ａ、６３ａを抜き取り第二挟接体６２を矢印Ａ方向に移動させることにより、立上部５ｂの内側面に対し所要の位置（例えば、二点鎖線で示す位置）まで移動させる。この状態で、ボルト６１ａ、６３ａを挿入してナット６１ｂ、６３ｂを締めて調整部材５５に第二挟接体６２を固定した後、ボルト２５ｂを回し、パッド２５ｃを所要の力で立上部５ｂに押付け、係着部５０ｂを立上部５ｂに固定する。
【００９５】
この状態で、支持部５０ａの突起５３を第一挟接体５７の溝５９に図１０の上方から挿入する形で装着し、足場支持治具５０を形成する。このとき、支持部５０ａは、その支持部材５１の矢印Ｂ方向の下面５１ｃの端部が第一挟接体５７の上端面に当接して支持される。
【００９６】
このようにして、複数の足場支持治具５０をバルコニ５（図１参照）の立上部５ｂに固定した後、複数の支持部材５１に亘って足場板１１を載置する。なお、足場板１１は、図示しない係止部材により支持部材５１に係止される。そして、この足場板１１の上に登って支持脚９を支持脚接合部材２０に螺合させ接合する。
【００９７】
以下、前記第１の実施形態と同様に、通常の組足場構築作業により、足場支持治具５０上に組足場７を構築することができる。
【００９８】
なお、上記第４の実施形態においては、支持部材５１の下面５１ｃを第一挟接体５７の上端面に当接させる構成としているが、第一挟接体５７の溝５９の下端にストッパを形成し、補強部材５２側の突起５３の下端を受け止めるように構成してもよい。
【００９９】
また、このような構成とした場合、第一挟接体５７を調整部材５５の矢印Ａ方向の端面に固定し、補強部材５２の矢印Ｂ方向の側面を支持部材５１の矢印Ｂ方向の端面を含む鉛直平面に配置して、前記突起５３を補強部材５２から支持部材４６の上端まで配置するようにしてもよい。
【０１００】
また、支持部材５１の上面５１ａの位置を、支持部材５１の上面５１ａに足場板１１を載置したとき、足場板１１の上面１１ａと立上部５ｂの上端面５ｃとが同じ高さになるように配置してもよい。
【０１０１】
また、足場支持治具５０を、バルコニに固定する係着部５０ｂと、組足場を支持する支持部５０ａとを接続、分離自在に設けたので、一体の足場支持治具に比べて取り扱う重量を略半分に軽減することができ、足場支持治具の取り扱いを容易にすることができる。従って、係着部５０ｂと支持部５０ａの大型化、高強度化を図り、より重荷重を支えること、即ち、一階層に取付けた足場支持治具５０からより高い階層まで組足場を伸ばすことができる。
【０１０２】
なお、前記第２、第３及び第４の実施形態に示す足場支持治具３０、４０、５０においても、前記第１の実施形態と同様に、前記支持脚接合部材２０を、それぞれの支持部３０ａ、４０ａ、５０ａだけでなく、係着部３０ｂ、４０ｂ、５０ｂに取付けることができる。
【図面の簡単な説明】
【図１】本発明による足場支持治具を用いた組足場の設置状態を示す側面図。
【図２】本発明による足場支持治具の第１の実施の形態を示すの側面図。
【図３】図２の平面図。
【図４】図１の足場支持治具を屋上階から外側に向けて取り付けた状態を示す側面図。
【図５】図１の足場支持治具を屋上階から内側に向けて取り付けた状態を示す側面図。
【図６】本発明による足場支持治具の第２の実施の形態を示す側面図。
【図７】図２の平面図。
【図８】本発明による足場支持治具の第３の実施の形態を示す側面図。
【図９】図４の平面図。
【図１０】本発明による足場支持治具の第４の実施の形態を示す側面図。
【図１１】図６の平面図。
【図１２】接合部の拡大図。
【符号の説明】
３…構造物本体
３ｃ…床部（スラブ）
３ｅ…立上部
５ａ…床部
５ｂ…立上部
７…組足場
９…支持脚
１５…足場支持治具
１５ａ…支持部
１５ｂ…係着部
１６…支持部材
１６ｆ…載置部
２０…支持脚接合部材
２０ａ…ねじ
２１…第一挟接体
２２…位置調整保持手段（調整部材）
２３…第二挟接体
３０…足場支持治具
３０ａ…支持部
３０ｂ…係着部
３１…支持部材
３５ａ…載置部
３６…ナット
３７…位置調整保持手段（調整部材）
３９…ねじ軸
４０…足場支持治具
４０ａ…支持部
４０ｂ…係着部
４１…支持部材
４２ａ…載置部
４３…クランプ部材（角クランプ）
４５…位置調整保持手段（調整部材）
５０…足場支持治具
５０ａ…支持部
５０ｂ…係着部
５１…支持部材
５５…位置調整保持手段（調整部材）
５６ａ…載置部
５７…第一挟接体
６２…第二挟接体
【図１】
0003575464.tif 000002
【図２】
0003575464.tif 000003
【図３】
0003575464.tif 000004
【図４】
0003575464.tif 000005
【図５】
0003575464.tif 000006
【図６】
0003575464.tif 000007
【図７】
0003575464.tif 000008
【図８】
0003575464.tif 000009
【図９】
0003575464.tif 000010
【図１０】
0003575464.tif 000011
【図１１】
0003575464.tif 000012
【図１２】
0003575464.tif 000013